(57)【要約】【課題】「Ｄｉｓｔｒｉｂｕｔｅｄ  ＲＬＣｓ」及び「ｉｎｄｅｐｅｎｄｅｎｔ  ＲＬＣｓ」の問題点を解消する。【解決手段】本発明に係る移動通信方法は、無線基地局ｅＮＢ＃１が、移動局ＵＥ宛てのＰＤＣＰ-ＰＤＵを生成する工程Ａと、無線基地局ｅＮＢ＃１が、無線基地局ｅＮＢ＃２に対して、生成したＰＤＣＰ-ＰＤＵ及びＲＬＣ-ＳＮを関連付けて送信する工程Ｂと、無線基地局ｅＮＢ＃２が、受信したＰＤＣＰ-ＰＤＵ及びＲＬＣ-ＳＮを用いて移動局ＵＥ宛てのＲＬＣ-ＰＤＵを生成する工程Ｃと、無線基地局ｅＮＢ＃２が、生成したＲＬＣ-ＰＤＵを再セグメント化して移動局ＵＥに対して送信する工程Ｄとを有する。【選択図】図１
2015065500.tif 000002
【特許請求の範囲】
【請求項１】
移動局が、マスター無線基地局配下のセル及びスレーブ無線基地局配下のセルを用いたキャリアアグリゲーションを行う移動通信方法であって、
前記マスター無線基地局が、前記移動局宛てのＰＤＣＰ-ＰＤＵを生成する工程Ａと、
前記マスター無線基地局が、前記スレーブ無線基地局に対して、前記ＰＤＣＰ-ＰＤＵ及びＲＬＣ-ＳＮを関連付けて送信する工程Ｂと、
前記スレーブ無線基地局が、前記ＰＤＣＰ-ＰＤＵ及び前記ＲＬＣ-ＳＮを用いて前記移動局宛てのＲＬＣ-ＰＤＵを生成する工程Ｃと、
前記スレーブ無線基地局が、前記ＲＬＣ-ＰＤＵを再セグメント化して前記移動局に対して送信する工程Ｄとを有することを特徴とする移動通信方法。
【請求項２】
前記工程Ｂにおいて、前記マスター無線基地局は、ＧＴＰ-Ｕヘッダオプションを用いて、前記スレーブ無線基地局に対して、前記ＲＬＣ-ＳＮを送信することを特徴とする請求項１に記載の移動通信方法。
【請求項３】
前記工程Ｂにおいて、前記マスター無線基地局は、同一のＲＬＣ-ＳＮを複数のＰＤＣＰ-ＰＤＵに対して関連付けて送信することを特徴とする請求項１又は２に記載の移動通信方法。
【請求項４】
前記スレーブ無線基地局が、前記ＰＤＣＰ-ＰＤＵを前記移動局に送信することなく破棄した場合、その旨を該移動局に対して通知する工程を更に有することを特徴とする請求項１乃至３のいずれか一項に記載の移動通信方法。
【請求項５】
前記スレーブ無線基地局が、前記ＰＤＣＰ-ＰＤＵを前記移動局に送信することなく破棄した場合、ＲＬＣヘッダのみを含むＲＬＣ-ＰＤＵを該移動局に対して通知する工程を更に有することを特徴とする請求項１乃至３のいずれか一項に記載の移動通信方法。
【請求項６】
移動局が、マスター無線基地局配下のセル及びスレーブ無線基地局配下のセルを用いたキャリアアグリゲーションを行うことができるように構成されている移動通信システムにおいて、該マスター無線基地局として機能することができる無線基地局であって、
前記移動局宛てのＰＤＣＰ-ＰＤＵを生成するように構成されている生成部と、
前記スレーブ無線基地局に対して、前記移動局宛てのＰＤＣＰ-ＰＤＵ及びＲＬＣ-ＳＮを関連付けて送信するように構成されている送信部とを具備することを特徴とする無線基地局。
【請求項７】
前記送信部は、ＧＴＰ-Ｕヘッダオプションを用いて、前記スレーブ無線基地局に対して、前記ＲＬＣ-ＳＮを送信するように構成されていることを特徴とする請求項６に記載の無線基地局。
【請求項８】
前記送信部は、同一のＲＬＣ-ＳＮを複数のＰＤＣＰ-ＰＤＵに対して関連付けて送信するように構成されていることを特徴とする請求項６又は７に記載の無線基地局。
【請求項９】
移動局が、マスター無線基地局配下のセル及びスレーブ無線基地局配下のセルを用いたキャリアアグリゲーションを行うことができるように構成されている移動通信システムにおいて、該スレーブ無線基地局として機能することができる無線基地局であって、
前記マスター無線基地局から、前記移動局宛てのＰＤＣＰ-ＰＤＵ及び該ＰＤＣＰ-ＰＤＵに関連付けられているＲＬＣ-ＳＮを受信するように構成されている受信部と、
前記ＰＤＣＰ-ＰＤＵ及び前記ＲＬＣ-ＳＮを用いて前記移動局宛てのＲＬＣ-ＰＤＵを生成するように構成されている生成部と、
前記ＲＬＣ-ＰＤＵを再セグメント化して前記移動局に対して送信するように構成されている送信部とを具備することを特徴とする無線基地局。
【請求項１０】
前記送信部は、前記ＰＤＣＰ-ＰＤＵが前記移動局に送信されることなく破棄された場合、その旨を該移動局に対して通知するように構成されていることを特徴とする請求項９に記載の無線基地局。
【請求項１１】
前記送信部は、前記ＰＤＣＰ-ＰＤＵが前記移動局に送信されることなく破棄された場合、ＲＬＣヘッダのみを含むＲＬＣ-ＰＤＵを該移動局に対して通知するように構成されていることを特徴とする請求項９に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０までで規定されているＣＡ（Ｃａｒｒｉｅｒ  Ａｇｇｒｅｇａｔｉｏｎ、キャリアアグリゲーション）では、図４（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【０００３】
一方、ＬＴＥ方式のＲｅｌｅａｓｅ-１２では、ＬＴＥ方式のＲｅｌｅａｓｅ-１０までのＣＡを拡張して、図４（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｅＮＢ  ＣＡ（或いは、Ｉｎｔｅｒ-ｎｏｄｅ  ＵＰ  ａｇｇｒｅｇａｔｉｏｎ）」が検討されている（非特許文献１参照）。
【０００４】
例えば、全てのＣＣを単一の無線基地局ｅＮＢ内に収容することができない場合に、ＬＴＥ方式のＲｅｌｅａｓｅ-１０と同程度のスループットを実現するためには、「Ｉｎｔｅｒ-ｅＮＢ  ＣＡ」を行うことが必要となる。
【０００５】
ここで、図５及び図６に示すように、「Ｉｎｔｅｒ-ｅＮＢ  ＣＡ」を実現するための構成として「Ｄｉｓｔｒｉｂｕｔｅｄ  ＲＬＣｓ」が提案されている。
【０００６】
「Ｄｉｓｔｒｉｂｕｔｅｄ  ＲＬＣｓ」では、図５に示すように、マスター無線基地局Ｍ-ｅＮＢのＭ-ＲＬＣ（Ｍａｓｔｅｒ-ＲＬＣ）レイヤ機能が、ＲＬＣ-ＰＤＵ（Ｒａｄｉｏ  Ｌｉｎｋ  Ｃｏｎｔｒｏｌ-Ｐｒｏｔｏｃｏｌ  Ｄａｔａ  Ｕｎｉｔ）を生成して、かかるＲＬＣ-ＰＤＵをスレーブ無線基地局Ｓ-ｅＮＢのＳ-ＲＬＣ（Ｓｌａｖｅ-ＲＬＣ）レイヤ機能に対して転送し、スレーブ無線基地局Ｓ-ｅＮＢのＳ-ＲＬＣレイヤ機能が、かかるＲＬＣ-ＰＤＵを移動局ＵＥに対して送信するように構成されている。
【０００７】
ここで、スレーブ無線基地局Ｓ-ｅＮＢのＳ-ＲＬＣ機能は、必要であれば、受信したＲＬＣ-ＰＤＵを再セグメント化（ｒｅ-ｓｅｇｍｅｎｔ）するように構成されている。
【０００８】
なお、再セグメント化は、ＬＴＥ方式のＲｅｌｅａｓｅ-８で規定されているＲＬＣ制御の１つで、ＲＬＣレイヤ機能が、ＲＬＣ-ＰＤＵを再送する際に、再送対象のＲＬＣ-ＰＤＵに対して充分なＴＢＳ（Ｔｒａｎｓｐｏｒｔ  Ｂｌｏｃｋ  Ｓｉｚｅ）が得られない場合に、ＲＬＣ-ＰＤＵを更にセグメント化し、ＲＬＣ-ＰＤＵセグメントとして送信することである。
【０００９】
図６に、「Ｄｉｓｔｒｉｂｕｔｅｄ  ＲＬＣｓ」を実現するためのプロトコルスタックを示す。
【００１０】
また、図７及び図８に示すように、「Ｉｎｔｅｒ-ｅＮＢ  ＣＡ」を実現するための構成として「ｉｎｄｅｐｅｎｄｅｎｔ  ＲＬＣｓ」が提案されている。
【００１１】
「ｉｎｄｅｐｅｎｄｅｎｔ  ＲＬＣｓ」では、図７に示すように、マスター無線基地局Ｍ-ｅＮＢが、スレーブ無線基地局Ｓ-ｅＮＢに対して、ＰＤＣＰ（Ｐａｃｋｅｔ  Ｄａｔａ  Ｃｏｎｖｅｒｇｅｎｃｅ  Ｐｒｏｔｏｃｏｌ）-ＰＤＵを送信し、マスター無線基地局Ｍ-ｅＮＢのＲＬＣレイヤ機能及びスレーブ無線基地局Ｓ-ｅＮＢのＲＬＣレイヤ機能が、独立してＲＬＣ-ＰＤＵを生成して移動局ＵＥに対して送信するように構成されている。
【００１２】
図８に、「ｉｎｄｅｐｅｎｄｅｎｔ  ＲＬＣｓ」を実現するためのプロトコルスタックを示す。
【先行技術文献】
【非特許文献】
【００１３】
【非特許文献１】３ＧＰＰ寄書Ｒ２-１３１７８２
【発明の概要】
【発明が解決しようとする課題】
【００１４】
しかしながら、「Ｄｉｓｔｒｉｂｕｔｅｄ  ＲＬＣｓ」では、マスター無線基地局Ｍ-ｅＮＢが、ＲＬＣ-ＰＤＵの基になるＰＤＣＰ-ＰＤＵを保持しておかなければならず、マスター無線基地局Ｍ-ｅＮＢにおいて大量のバッファが必要となるという問題点があった。
【００１５】
一方、「ｉｎｄｅｐｅｎｄｅｎｔ  ＲＬＣｓ」では、移動局ＵＥ側でも、１つのＥＰＳ（Ｅｖｏｌｖｅｄ  Ｐａｃｋｅｔ  Ｓｙｓｔｅｍ）ベアラに対して複数のＲＬＣレイヤ機能が必要になるため、移動局ＵＥの機能変更のインパクトが大きいという問題点があった。
【００１６】
そこで、本発明は、上述の課題に鑑みてなされたものであり、「Ｄｉｓｔｒｉｂｕｔｅｄ  ＲＬＣｓ」及び「ｉｎｄｅｐｅｎｄｅｎｔ  ＲＬＣｓ」の問題点を解消することができる移動通信方法及び無線基地局を提供することを目的とする。
【課題を解決するための手段】
【００１７】
本発明の第１の特徴は、移動局が、マスター無線基地局配下のセル及びスレーブ無線基地局配下のセルを用いたキャリアアグリゲーションを行う移動通信方法であって、前記マスター無線基地局が、前記移動局宛てのＰＤＣＰ-ＰＤＵを生成する工程Ａと、前記マスター無線基地局が、前記スレーブ無線基地局に対して、前記ＰＤＣＰ-ＰＤＵ及びＲＬＣ-ＳＮを関連付けて送信する工程Ｂと、前記スレーブ無線基地局が、前記ＰＤＣＰ-ＰＤＵ及び前記ＲＬＣ-ＳＮを用いて前記移動局宛てのＲＬＣ-ＰＤＵを生成する工程Ｃと、前記スレーブ無線基地局が、前記ＲＬＣ-ＰＤＵを再セグメント化して前記移動局に対して送信する工程Ｄとを有することを要旨とする。
【００１８】
本発明の第２の特徴は、移動局が、マスター無線基地局配下のセル及びスレーブ無線基地局配下のセルを用いたキャリアアグリゲーションを行うことができるように構成されている移動通信システムにおいて、該マスター無線基地局として機能することができる無線基地局であって、前記移動局宛てのＰＤＣＰ-ＰＤＵを生成するように構成されている生成部と、前記スレーブ無線基地局に対して、前記移動局宛てのＰＤＣＰ-ＰＤＵ及びＲＬＣ-ＳＮを関連付けて送信するように構成されている送信部とを具備することを要旨とする。
【００１９】
本発明の第３の特徴は、移動局が、マスター無線基地局配下のセル及びスレーブ無線基地局配下のセルを用いたキャリアアグリゲーションを行うことができるように構成されている移動通信システムにおいて、該スレーブ無線基地局として機能することができる無線基地局であって、前記マスター無線基地局から、前記移動局宛てのＰＤＣＰ-ＰＤＵ及び該ＰＤＣＰ-ＰＤＵに関連付けられているＲＬＣ-ＳＮを受信するように構成されている受信部と、前記ＰＤＣＰ-ＰＤＵ及び前記ＲＬＣ-ＳＮを用いて前記移動局宛てのＲＬＣ-ＰＤＵを生成するように構成されている生成部と、前記ＲＬＣ-ＰＤＵを再セグメント化して前記移動局に対して送信するように構成されている送信部とを具備することを要旨とする。
【発明の効果】
【００２０】
以上説明したように、本発明によれば、「Ｄｉｓｔｒｉｂｕｔｅｄ  ＲＬＣｓ」及び「ｉｎｄｅｐｅｎｄｅｎｔ  ＲＬＣｓ」の問題点を解消することができる移動通信方法及び無線基地局を提供することができる。
【図面の簡単な説明】
【００２１】
【図１】本発明の第１の実施形態に係る移動通信システムの全体構成図である。
【図２】本発明の第１の実施形態に係る無線基地局ｅＮＢ＃１/ｅＮＢ＃２の機能ブロック図である。
【図３】本発明の第１の実施形態に係る無線基地局ｅＮＢ＃１の動作を示すフローチャートである。
【図４】従来技術を説明するための図である。
【図５】従来技術を説明するための図である。
【図６】従来技術を説明するための図である。
【図７】従来技術を説明するための図である。
【図８】従来技術を説明するための図である。
【発明を実施するための形態】
【００２２】
（本発明の第１の実施形態に係る移動通信システム）
図１乃至図３を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００２３】
図１に示すように、本実施形態に係る移動通信システムは、ゲートウェイ装置Ｓ-ＧＷと、無線基地局ｅＮＢ＃１と、無線基地局ｅＮＢ＃２とを具備している。
【００２４】
本実施形態に係る移動通信システムでは、無線基地局ｅＮＢ＃１は、マスター無線基地局Ｍ-ｅＮＢであり、無線基地局ｅＮＢ＃２は、スレーブ無線基地局Ｓ-ｅＮＢであるものとする。
【００２５】
また、本実施形態に係る移動通信システムでは、図６に示すプロトコルスタックが用いられているものとする。
【００２６】
図２に示すように、本実施形態に係る無線基地局ｅＮＢ＃１/ｅＮＢ＃２は、受信部１１と、生成部１２と、送信部１３とを具備している。
【００２７】
無線基地局ｅＮＢ＃１の受信部１１は、ゲートウェイ装置Ｓ-ＧＷや無線基地局ｅＮＢ＃２や移動局ＵＥ等から、各種信号を受信するように構成されている。
【００２８】
例えば、無線基地局ｅＮＢ＃１の受信部１１は、ゲートウェイ装置Ｓ-ＧＷから、移動局ＵＥ宛ての下りデータ信号を受信するように構成されている。
【００２９】
無線基地局ｅＮＢ＃１の生成部１２は、ＰＤＣＰレイヤ機能において、受信部１１によって受信された移動局ＵＥ宛ての下りデータ信号に基づいて、ＰＤＣＰ-ＰＤＵを生成するように構成されている。
【００３０】
具体的には、無線基地局ｅＮＢ＃１の生成部１２は、Ｍ-ＲＬＣレイヤ機能において、受信部１１によって受信された移動局ＵＥ宛ての下りデータ信号のうち、無線基地局ｅＮＢ＃２を経由することなく移動局ＵＥに対して送信すべきと判断された下りリンク信号に基づいて生成したＰＤＣＰ-ＰＤＵに基づいて、ＲＬＣ-ＰＤＵを生成するように構成されている。
【００３１】
無線基地局ｅＮＢ＃１の送信部１３は、ゲートウェイ装置Ｓ-ＧＷや無線基地局ｅＮＢ＃２や移動局ＵＥ等に対して、各種信号を送信するように構成されている。
【００３２】
例えば、無線基地局ｅＮＢ＃１の送信部１３は、生成部１１によって生成されたＲＬＣ-ＰＤＵについて、直接、移動局ＵＥに対して送信するように構成されている。
【００３３】
また、無線基地局ｅＮＢ＃１の送信部１３は、受信部１１によって受信された移動局ＵＥ宛ての下りデータ信号のうち、無線基地局ｅＮＢ＃２を経由して移動局ＵＥに対して送信すべきと判断された下りリンク信号に基づいて生成されたＰＤＣＰ-ＰＤＵを、無線基地局ｅＮＢ＃２に対して送信するように構成さされている。
【００３４】
ここで、無線基地局ｅＮＢ＃１の送信部１３は、かかるＰＤＣＰ-ＰＤＵ及びＲＬＣ-ＳＮ（Ｓｅｑｕｅｎｃｅ  Ｎｕｍｂｅｒ）を関連付けて無線基地局ｅＮＢ＃２に対して送信するように構成されている。
【００３５】
例えば、無線基地局ｅＮＢ＃１の送信部１３は、ＧＴＰ-Ｕヘッダオプションを用いて、無線基地局ｅＮＢ＃２に対して、上述のＲＬＣ-ＳＮを送信するように構成されていてもよい。
【００３６】
また、無線基地局ｅＮＢ＃１の送信部１３は、同一のＲＬＣ-ＳＮを複数のＰＤＣＰ-ＰＤＵに対して関連付けて送信するように構成されていてもよい。
【００３７】
無線基地局ｅＮＢ＃２の受信部１１は、無線基地局ｅＮＢ＃１や移動局ＵＥ等から、各種信号を受信するように構成されている。
【００３８】
例えば、無線基地局ｅＮＢ＃２の受信部１１は、無線基地局ｅＮＢ＃１から、ＰＤＣＰ-ＰＤＵ及び当該ＰＤＣＰ-ＰＤＵに関連付けられているＲＬＣ-ＳＮを受信するように構成されている。
【００３９】
無線基地局ｅＮＢ＃２の生成部１２は、Ｓ-ＲＬＣレイヤ機能において、受信部１１によって受信されたＰＤＣＰ-ＰＤＵ及びＲＬＣ-ＳＮを用いて、移動局ＵＥに対して送信すべきＲＬＣ-ＰＤＵを生成するように構成されている。
【００４０】
無線基地局ｅＮＢ＃２の送信部１３は、無線基地局ｅＮＢ＃１や移動局ＵＥ等に対して、各種信号を送信するように構成されている。
【００４１】
例えば、無線基地局ｅＮＢ＃２の送信部１３は、生成部１２によって生成されたＲＬＣ-ＰＤＵを再セグメント化して移動局ＵＥに対して送信するように構成されている。
【００４２】
なお、無線基地局ｅＮＢ＃２の送信部１３は、受信部１１によって受信されたＰＤＣＰ-ＰＤＵが移動局ＵＥに送信されることなく破棄された場合、その旨（すなわち、かかるＰＤＣＰ-ＰＤＵを移動局ＵＥに送信することができなかった旨）を移動局ＵＥに対して通知するように構成されていてもよい。
【００４３】
或いは、無線基地局ｅＮＢ＃２の送信部１３は、受信部１１によって受信されたＰＤＣＰ-ＰＤＵが移動局ＵＥに送信されることなく破棄された場合、ＲＬＣヘッダのみを含むＲＬＣ-ＰＤＵを移動局ＵＥに対して通知するように構成されていてもよい。
【００４４】
以下、図３を参照して、本実施形態に係る移動通信システムの動作について、具体的には、本実施形態に係る無線基地局ｅＮＢ＃１の動作について説明する。
【００４５】
図３に示すように、ステップＳ１０１において、無線基地局ｅＮＢ＃１は、ＰＤＣＰレイヤ機能において、ゲートウェイ装置Ｓ-ＧＷから受信した移動局ＵＥ宛ての下りリンク信号に基づいてＰＤＣＰ-ＰＤＵを生成し、かかるＰＤＣＰ-ＰＤＵについて、無線基地局ｅＮＢ＃２経由で移動局ＵＥに対して送信すべきか否かについて判定する。
【００４６】
「Ｙｅｓ」の場合、本動作は、ステップＳ１０２に進み、「Ｎｏ」の場合、本動作は、ステップＳ１０３に進む。
【００４７】
ステップＳ１０２において、無線基地局ｅＮＢ＃１は、無線基地局ｅＮＢ＃２に対して、かかるＰＤＣＰ-ＰＤＵ及びＲＬＣ-ＳＮを関連付けて送信する。
【００４８】
ステップＳ１０３において、無線基地局ｅＮＢ＃１は、Ｍ-ＲＬＣレイヤ機能において、かかるＰＤＣＰ-ＰＤＵに基づいてＲＬＣ-ＰＤＵを生成して、移動局ＵＥに対して送信する。
【００４９】
以上に述べた本実施形態の特徴は、以下のように表現されていてもよい。
【００５０】
本実施形態の第１の特徴は、移動局ＵＥが、無線基地局ｅＮＢ＃１（マスター無線基地局）配下のセル及び無線基地局ｅＮＢ＃２（スレーブ無線基地局）配下のセルを用いたＣＡ（キャリアアグリゲーション）を行う移動通信方法であって、無線基地局ｅＮＢ＃１が、移動局ＵＥ宛てのＰＤＣＰ-ＰＤＵを生成する工程Ａと、無線基地局ｅＮＢ＃１が、無線基地局ｅＮＢ＃２に対して、生成したＰＤＣＰ-ＰＤＵ及びＲＬＣ-ＳＮを関連付けて送信する工程Ｂと、無線基地局ｅＮＢ＃２が、受信したＰＤＣＰ-ＰＤＵ及びＲＬＣ-ＳＮを用いて移動局ＵＥ宛てのＲＬＣ-ＰＤＵを生成する工程Ｃと、無線基地局ｅＮＢ＃２が、生成したＲＬＣ-ＰＤＵを再セグメント化して移動局ＵＥに対して送信する工程Ｄとを有することを要旨とする。
【００５１】
かかる特徴によれば、無線基地局ｅＮＢ＃１は、ＲＬＣ-ＰＤＵの基となるＰＤＣＰ-ＰＤＵを保持するためのバッファを搭載する必要がなくなり、移動局ＵＥは、１つのＥＰＳベアラに対して１つのＲＬＣレイヤ機能を搭載するだけで良くなり、移動局ＵＥの機能変更のインパクトを低減することができる。
【００５２】
本実施形態の第１の特徴において、工程Ｂにおいて、無線基地局ｅＮＢ＃１は、ＧＴＰ-Ｕヘッダオプションを用いて、無線基地局ｅＮＢ＃２に対して、上述のＲＬＣ-ＳＮを送信してもよい。
【００５３】
かかる特徴によれば、無線基地局ｅＮＢ＃１は、既存の仕組みを流用して、無線基地局ｅＮＢ＃２に対して、上述のＲＬＣ-ＳＮを送信することができる。
【００５４】
本実施形態の第１の特徴において、工程Ｂにおいて、無線基地局ｅＮＢ＃１は、同一のＲＬＣ-ＳＮを複数のＰＤＣＰ-ＰＤＵに対して関連付けて送信してもよい。
【００５５】
かかる特徴によれば、無線基地局ｅＮＢ＃１は、用いるべきＲＬＣ-ＳＮの数を減らすことができる。
【００５６】
本実施形態の第１の特徴において、かかる移動通信方法は、無線基地局ｅＮＢ＃２が、上述のＰＤＣＰ-ＰＤＵを移動局ＵＥに送信することなく破棄した場合、その旨を移動局ＵＥに対して通知する工程を更に有していてもよい。
【００５７】
かかる構成によれば、移動局ＵＥは、かかる通知に基づいて、受信側ＲＬＣウィンドウを更新することができ、「Ｔｘ  ｗｉｎｄｏｗ  ｓｔａｌｌｉｎｇ」を回避することができる。
【００５８】
本実施形態の第１の特徴において、かかる移動通信方法は、無線基地局ｅＮＢ＃２が、上述のＰＤＣＰ-ＰＤＵを移動局ＵＥに送信することなく破棄した場合、ＲＬＣヘッダのみを含むＲＬＣ-ＰＤＵを移動局ＵＥに対して通知する工程を更に有していてもよい。
【００５９】
かかる構成によれば、移動局ＵＥは、かかる通知に基づいて、受信側ＲＬＣウィンドウを更新することができ、「Ｔｘ  ｗｉｎｄｏｗ  ｓｔａｌｌｉｎｇ」を回避することができる。
【００６０】
本実施形態の第２の特徴は、移動局ＵＥが、無線基地局ｅＮＢ＃１配下のセル及び無線基地局ｅＮＢ＃２配下のセルを用いたＣＡを行うことができるように構成されている移動通信システムにおいて、無線基地局ｅＮＢ＃１として機能することができる無線基地局ｅＮＢであって、移動局ＵＥ宛てのＰＤＣＰ-ＰＤＵを生成するように構成されている生成部１２と、無線基地局ｅＮＢ＃２に対して、移動局ＵＥ宛てのＰＤＣＰ-ＰＤＵ及びＲＬＣ-ＳＮを関連付けて送信するように構成されている送信部１３とを具備することを要旨とする。
【００６１】
かかる特徴によれば、無線基地局ｅＮＢ＃１は、ＲＬＣ-ＰＤＵの基となるＰＤＣＰ-ＰＤＵを保持するためのバッファを搭載する必要がなくなり、移動局ＵＥは、１つのＥＰＳベアラに対して１つのＲＬＣレイヤ機能を搭載するだけで良くなり、移動局ＵＥの機能変更のインパクトを低減することができる。
【００６２】
本実施形態の第２の特徴において、送信部１３は、ＧＴＰ-Ｕヘッダオプションを用いて、無線基地局ｅＮＢ＃２に対して、上述のＲＬＣ-ＳＮを送信するように構成されていてもよい。
【００６３】
かかる特徴によれば、無線基地局ｅＮＢ＃１は、既存の仕組みを流用して、無線基地局ｅＮＢ＃２に対して、上述のＲＬＣ-ＳＮを送信することができる。
【００６４】
本実施形態の第２の特徴において、送信部１３は、同一のＲＬＣ-ＳＮを複数のＰＤＣＰ-ＰＤＵに対して関連付けて送信するように構成されていてもよい。
【００６５】
かかる特徴によれば、無線基地局ｅＮＢ＃１は、用いるべきＲＬＣ-ＳＮの数を減らすことができる。
【００６６】
本実施形態の第３の特徴は、移動局ＵＥが、無線基地局ｅＮＢ＃１配下のセル及び無線基地局ｅＮＢ＃２配下のセルを用いたＣＡを行うことができるように構成されている移動通信システムにおいて、無線基地局ｅＮＢ＃２として機能することができる無線基地局ｅＮＢであって、無線基地局ｅＮＢ＃１から、移動局ＵＥ宛てのＰＤＣＰ-ＰＤＵ及び当該ＰＤＣＰ-ＰＤＵに関連付けられているＲＬＣ-ＳＮを受信するように構成されている受信部１１と、かかるＰＤＣＰ-ＰＤＵ及びＲＬＣ-ＳＮを用いて移動局ＵＥ宛てのＲＬＣ-ＰＤＵを生成するように構成されている生成部１２と、かかるＲＬＣ-ＰＤＵを再セグメント化して移動局ＵＥに対して送信するように構成されている送信部１３とを具備することを要旨とする。
【００６７】
かかる特徴によれば、無線基地局ｅＮＢ＃１は、ＲＬＣ-ＰＤＵの基となるＰＤＣＰ-ＰＤＵを保持するためのバッファを搭載する必要がなくなり、移動局ＵＥは、１つのＥＰＳベアラに対して１つのＲＬＣレイヤ機能を搭載するだけで良くなり、移動局ＵＥの機能変更のインパクトを低減することができる。
【００６８】
本実施形態の第３の特徴において、送信部１３は、上述のＰＤＣＰ-ＰＤＵが移動局ＵＥに送信されることなく破棄された場合、その旨を移動局ＵＥに対して通知するように構成されていてもよい。
【００６９】
かかる構成によれば、移動局ＵＥは、かかる通知に基づいて、受信側ＲＬＣウィンドウを更新することができ、「Ｔｘ  ｗｉｎｄｏｗ  ｓｔａｌｌｉｎｇ」を回避することができる。
【００７０】
本実施形態の第３の特徴において、送信部１３は、上述のＰＤＣＰ-ＰＤＵが移動局ＵＥに送信されることなく破棄された場合、ＲＬＣヘッダのみを含むＲＬＣ-ＰＤＵを移動局ＵＥに対して通知するように構成されていてもよい。
【００７１】
かかる構成によれば、移動局ＵＥは、かかる通知に基づいて、受信側ＲＬＣウィンドウを更新することができ、「Ｔｘ  ｗｉｎｄｏｗ  ｓｔａｌｌｉｎｇ」を回避することができる。
【００７２】
なお、上述のゲートウェイ装置Ｓ-ＧＷや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ゲートウェイ装置Ｓ-ＧＷや無線基地局ｅＮＢ＃１/ｅＮＢ＃２や移動局ＵＥ内に設けられていてもよい。また、かかる記憶媒体及びプロセッサは、ディスクリートコンポーネントとしてゲートウェイ装置Ｓ-ＧＷや無線基地局ｅＮＢ＃１/ｅＮＢ＃２や移動局ＵＥ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
Ｓ-ＧＷ…移動管理ノード
ＵＥ…移動局
ｅＮＢ＃１/ｅＮＢ＃２…無線基地局
１１…受信部
１２…生成部
１３…送信部
【図１】
2015065500.tif 000003
【図２】
2015065500.tif 000004
【図３】
2015065500.tif 000005
【図４】
2015065500.tif 000006
【図５】
2015065500.tif 000007
【図６】
2015065500.tif 000008
【図７】
2015065500.tif 000009
【図８】
2015065500.tif 000010